(57)【要約】 【課題】  箱体の側板開口端が前扉の外周側板内に嵌め込まれるようにして箱体の開口を閉鎖する電気電子機器収納用箱の前扉の片下がりを修正できる扉片下がり防止構造を提供する。【解決手段】  箱体１の一側にはフック止め具４を突設し、前扉２にはこのフック止め具４を引掛けるフック５を備えたハンドル３を配設したうえに、箱体１には箱体１の前方から後方にかけて上向きに傾斜する受け面１２を設けるとともに、前扉２には受け面１２に対向する下向きの傾斜面２１を設ける。前扉２閉鎖時に傾斜面１２を受け面１２上を摺動させることができるので、片下がりした前扉２を上方に位置修正しつつ正しく閉鎖することができる。【選択図】    図６
2006032391.tif 000002
【特許請求の範囲】
【請求項１】
箱体の側板が前扉の外周側板内に嵌め込まれるようにして、箱体の開口を閉鎖するとともに、前扉を箱体に錠止する鎖錠装置を備えた電気電子機器収納用箱の扉片下がり防止構造であって、箱体の一側に箱体前方から後方にかけて上向きに傾斜する受け面を設けるとともに、前記前扉には前記受け面を摺動可能な傾斜面を設けて、片下がりした前扉を閉鎖時に上方に移動させて位置修正することを特徴とする電気電子機器収納用箱の扉片下がり防止構造。
【請求項２】
前記傾斜面及び受け面を鎖錠装置の近傍に設けた請求項１に記載の電気電子機器収納用箱の扉片下がり防止構造。
【請求項３】
鎖錠装置が、箱体の一側に突設したフック止め具を、前扉に設置したハンドルのフックにより引掛けて前扉を箱体に錠止するものであるとともに、ハンドルは、ハンドル本体に立設された回動軸が前扉の側面に装着され、この回動軸の先端にフックがフック止め具と係脱自在に設けた請求項２に記載の電気電子機器収納用箱の扉片下がり防止構造。
【請求項４】
鎖錠装置が、箱体の一側に突設したフック止め具を、前扉に設置したハンドルのフックにより引掛けて前扉を箱体に錠止するものであるとともに、前記傾斜面をハンドルに設けた上、受け面を箱体のフック止め具の近傍に設けた請求項１に記載の電気電子機器収納用箱の扉片下がり防止構造。
【発明の詳細な説明】
【技術分野】
【０００１】
本発明は、電気電子機器を収納するキャビネットの扉片下がり防止構造であって、特にキャビネット本体の側板開口端が前扉の外周側板内に嵌め込まれるような構造のキャビネットの扉片下がり防止構造に関するものである。
【背景技術】
【０００２】
電気電子機器収納用キャビネットの中には、箱体の側板が前扉の外周側板内に嵌め込まれるようにして閉鎖するものが開発されている。例えば図１３、１４に示すようなものであって、前方に開口部を有する箱体１と、この箱体１の一側にヒンジで取り付けられた前扉２とからなる。箱体１の側板１ａの開口端は前扉２の外周の側板２ａ内に嵌め込まれて箱体１は封鎖されており、前扉２の開閉端側には錠止用のハンドル３が取付けられている。箱体１はその側板１ａにフック止め具４が突設され、ハンドル３にはこのフック止め具４に錠止されるフック５が備えられている。そして、箱体１に対して前扉２が正常な位置にあるときには、箱体１側のフック止め具４と、前扉２側のフック５の回動軸６とが同一水平面上に位置しているので、ハンドル３を回動したときにフック５をフック止め具４に位置ずれすることなく引掛けることができる。しかし、前扉２に重量物が実装されたりして荷重が掛かった場合や扉の自重などにより、前扉３の開閉端側が下がるいわゆる片下がりを生ずることがある。このような片下がりが生じた場合に前扉２を閉鎖しようとすると、フック止め具４とフック５の回動軸６の位置とが上下方向にずれてしまうこととなるので、これらを係合させたときにフック止め具４へのフック５の掛かりが浅くなり（図１５）、箱体１に前扉２を確実に錠止することができないという問題が生ずる。また、ハンドル３を回動する時には、フック５は前扉２を上方に持ち上げながら、フック止め具４に錠止めされるため非常に大きな力が必要で操作しづらいうえ、前扉２を開放するときも箱体１の開口端の上部の側板が前扉２の上部の外周側板に接触して、スムーズに開くことができなくなる恐れがあった。また、前扉２が片下がりしていると、前扉２が箱体１に対してわずかに傾くため見栄えも悪くなるという問題があり、扉片下がりを防止するような構造が切望されている。
【０００３】
ところで、従来、電気機器収納用箱の前面開口部には枠体が設けられ、この枠体の内側に前扉が嵌り込んで、電気機器収納用箱の前面を閉鎖する構造が知られている。このような電気機器収納用箱の片下がり防止構造としては、特許文献１に示すように、枠体の下辺の上面に扉垂下防止部材が設けられ、閉鎖時に前扉の側板部が当接することにより前扉の片下がりを修正できるものが知られている。
【０００４】
ところが、箱体の側板が前扉の外周側板内に嵌め込まれるようにして閉鎖する電気電子収納用箱に、特許文献１のような扉垂下防止部材を取り付けようとしても、箱体に枠体が設けられていないので取り付けることができず前扉の片下がりを防止することができなかった。
【特許文献１】特開２０００−２８７３１３号公報  (図２)
【発明の開示】
【発明が解決しようとする課題】
【０００５】
本発明は、上記した従来の問題点を解決して、箱体の側板が前扉の外周側板内に嵌め込まれるようにして、箱体の開口を閉鎖する電気電子機器収納用箱において前扉の片下がりを修正できる扉片下がり防止構造を提供するためになされたものである。
【課題を解決するための手段】
【０００６】
上記の課題を解決するためになされた本発明の電気電子機器収納用箱の扉片下がり防止構造は、箱体の側板が前扉の外周側板内に嵌め込まれるようにして、箱体の開口を閉鎖するとともに、前扉を箱体に錠止する鎖錠装置を備えた電気電子機器収納用箱の扉片下がり防止構造であって、箱体の一側に箱体前方から後方にかけて上向きに傾斜する受け面を設けるとともに、前記前扉には前記受け面を摺動可能な傾斜面を設けて、片下がりした前扉を閉鎖時に上方に移動させて位置修正することを特徴とするものである。
【０００７】
なお、上記した発明において、前記傾斜面及び受け面を鎖錠装置の近傍に設けることができる。また、鎖錠装置が、箱体の一側に突設したフック止め具を、前扉に設置したハンドルのフックにより引掛けて前扉を箱体に錠止するものであるとともに、ハンドルは、ハンドル本体に立設された回動軸が前扉の側面に装着され、この回動軸の先端にフックがフック止め具と係脱自在に設けたものとすることができ、また、鎖錠装置が、箱体の一側に突設したフック止め具を、前扉に設置したハンドルのフックにより引掛けて前扉を箱体に錠止するものであるとともに、前記傾斜面をハンドルに設けた上、受け面を箱体のフック止め具の近傍に設けたものとすることができる。
【発明の効果】
【０００８】
本発明の扉片下がり防止構造は、箱体側には箱体の前方から後方にかけて上向きに傾斜する受け部を設け、前扉側には前記受け面に対向する下向きの傾斜面をハンドルに設けたので、片下がりした前扉を閉鎖したときに、前扉側の傾斜面が箱体側の受け面上を摺動させることにより、片下がりした前扉を上方に持ち上げつつ正しく閉鎖することができる。
【０００９】
また、前扉２を開放するときも前扉側の傾斜面が受け面上を摺動することにより、スムーズに開放できるものである。さらに、前扉側の傾斜面は扉閉鎖時に受け面に当接しているので、前扉２が箱体１に対して傾くことがなく見栄えの良いものとなる。
【発明を実施するための最良の形態】
【００１０】
以下に図面を参照しつつ本発明の好ましい実施形態を説明する。
図１〜３は、本発明の扉片下がり防止構造を示す図であって、１は箱体、２は箱体１の一側にヒンジで固体された前扉、３は前扉２の開閉端側の側板２ａに取付けられて前扉２を箱体１に錠止するハンドルである。箱体１を形成する側板１ａの周縁には側板１ａを内側に折り曲げて段差部１１が形成されている。この段差部１１には、受け面１２が形成された位置調整用部材１３がフック止め具４とともに、段差部１１の裏側からのねじ１４で固定されている。フック止め具４は円柱部４ａと着座部４ｂとからなる。位置調整用部材１３は、段差部１１にねじなどにより固定される板主部１５と、前扉２側から箱体１後方にかけて斜め上方に傾斜する前記受け面１２とを有する。
【００１１】
一方、前扉２に取付けられたハンドル３は平面部３ａとその外周を取り囲む周壁部３ｂとからなるハンドル本体９を有し、その内部には角柱部１６を有する回動軸６が備えられている（図３）。回動軸６の基部にはハンドル２の回動後の位置を保持する回動位置保持部材１７が装着されている。前扉２の側板２ａには挿通孔１８が設けられ、この挿通孔１８に前記回動軸６が差し込まれてハンドル３は前扉２に軸着されているが、同じ回動軸６に側板２ａの外側に、傾斜面２１が形成された摺動部材２２に設けた孔部を貫通している。また、回動軸６の側板２ａを貫通した側には、角孔２３を有するフック５がボルト１０により軸着されている。角孔２３は前記角柱部１６に嵌め込まれているので、ハンドル３の回動と一体にフック５も回動する。なお、摺動部材２２はねじ等により前扉２の側板２ａに取付けられている。
【００１２】
前記摺動部材２２の傾斜面２１は、位置調整用部材１３の受け面１２に対応する角度に形成されており、この傾斜面２１は、前扉２の側板２ａに形成した切込み１９に差し込まれていて受け面１２に当接するように構成されている。前扉２を閉鎖したときには傾斜面２１の下面が受け面１２の上面を摺動することができるので、片下がりした前扉２を上方に移動させつつ前扉２を閉鎖することができる。なお、摺動部材２２には、ストッパ片３１とストッパ縁３２とが形成されており、ストッパ片３１はハンドル３閉鎖時に周壁部３ｂの内側が当接されてハンドル３の閉鎖回動を規制する。また、ストッパ縁３２はハンドル３開放時に周壁部３ｂの内側が当接されてハンドル３の開放回動を規制する。
【００１３】
ハンドル３の開閉機構を図４、５により説明する。図４はハンドル３の開放状態を示す図であるが、回動軸６には既記したように半リング状の回動位置保持部材１７が装着されており、この回動位置保持部材１７には所要間隔をおいて小突起１７ａと大突起１７ｂとが形成されている。また、回動軸６の近傍には凹部２５ａが形成されたコイルバネ２５が枢設されている。図４の状態ではコイルバネ２５の凹部２５ａに小突起１７ａが嵌め込まれていて、コイルバネ２５の付勢によりハンドル２の回動後の位置を保持している。したがって、ハンドル２を開放状態に維持することができる。一方、ハンドル２を閉鎖したときには、図５に示すようにコイルバネ２５の凹部２５ａに大突起２５ａが嵌め込まれることとなるのでハンドル３を閉鎖状態に維持することができる。
【００１４】
以上のように構成されたものは、図６に示すように、前扉２が片下がりしたときにも、前扉２を閉鎖する時に箱体１側に設けた受け面１２上を前扉２側に設けた傾斜面２１を摺動させれば、傾斜面２１が受け面１２上を斜め上方に移動することとなるので、片下がりした前扉２を上方に持ち上げつつ前扉２を閉鎖することができる。しかる後にハンドル３を閉鎖回動すれば、図７、８に示すように、フック止め具４にフック５を深く引っ掛けることができるので、箱体１と前扉２との錠止を大きな力を必要とせず確実に行うことができる。また、前扉２を開放するときも前扉２側の傾斜面２１が受け面１２上を摺動することにより、箱体１の開口端の上部の側板が前扉２の上部の外周側板に接触することがなく、スムーズに開放できるものである。さらに、前扉２側の傾斜面２１は扉閉鎖時に受け面１２に当接しているので、前扉２が箱体１に対して傾くことがなく見栄えの良いものとなる。
【００１５】
図９〜１１には別の形態のハンドルを示す。このハンドル３はクランプ式のハンドル３であって、５１はハンドル本体、５２はその上部を覆う取手である。ハンドル３は前扉２側に固定されており、ハンドル本体５１には、その端部下面に摺動部材６１が突設され、この摺動部材６１には上方に向けて傾斜する傾斜面６２が形成されている。一方、箱体１には、前記傾斜面６２に対向する受け面６３が形成された位置調整用部材６４が取り付けられている。
【００１６】
ハンドル本体５１の下部には２本の支軸５３、５４が設けられていて、支軸５３にはフック５５が回動自在に軸着され、支軸５４には取手５２の回動アーム５６が回動自在に軸着されている。そして、取手５２と回動アーム５６とはリンク機構５７により連結されているので、取手５２を持ち上げた時にはフック止め具４とフック５５との錠止は解除される。一方、取手５２を閉鎖した時には、フック５５がフック止め具４をかみ込むので、箱体１に前扉２を錠止することができる。
【００１７】
以上のように構成された鎖錠装置においても、前扉２側に設けた傾斜面６２を箱体１側に設けた受け面６３上を摺動させれば、傾斜面６２が受け面６３上を斜め上方に移動することとなるので、前扉２が片下がりしたときにもその位置ずれを修正して箱体１を前扉２で正確に閉鎖することができる。その後に取手５２を閉鎖すれば、フック５５をフック止め具４に深く引っ掛けることができるので、箱体１と前扉２との錠止を大きな力を必要とせず確実に行うことができる。なお、上記実施形態では摺動部材６１はハンドル本体３の端部下面に設けられているが、図１２に示すように前扉２に直接設けたものとしてもよく、この場合には前扉２の上下両端に設けておくことが好ましい。また、摺動部材６１の位置に対応させて受け面６４を取り付けておくことはもちろんのことである。
【００１８】
以上説明したように、本発明の扉片下がり防止構造は、箱体側には箱体の前方から後方にかけて上向きに傾斜する受け部を設け、前扉側にはその受け面に対向する下向きの傾斜面をハンドルに設けたので、前扉が片下がりしたときに前扉閉鎖時には前扉側の傾斜面を箱体側の受け面上を摺動させることによって、その位置ずれを修正して箱体を前扉で正確に閉鎖することができ、箱体と前扉とを大きな力を必要とせず確実に錠止することができるものである。また、前扉を開放するときも前扉側の傾斜面が受け面上を摺動することにより、箱体の開口端の上部の側板が前扉の上部の外周側板に接触することがなく、スムーズに開放できるものである。さらに、前扉側の傾斜面は扉閉鎖時に受け面に当接しているので、前扉２が箱体１に対して傾くことがなく見栄えの良いものとなるという多くの利点を有する。
【図面の簡単な説明】
【００１９】
【図１】本発明の扉片下がり防止構造を示す斜視図である。
【図２】本発明の扉片下がり防止構造の分解斜視図である。
【図３】ハンドル本体の背面を示す斜視図である。
【図４】開放状態のハンドルの背面図である。
【図５】閉鎖状態のハンドルの背面図である。
【図６】片下がりした前扉を閉鎖する状態の鎖錠装置を示す側面図である。
【図７】正常に錠止された鎖錠装置の側面図である。
【図８】正常に錠止された鎖錠装置の側面の平面図である。
【図９】別の形態の扉片下がり防止構造を示す斜視図である。
【図１０】図９の鎖錠装置の側面図である。
【図１１】図９の鎖錠装置の内部構造を示す断面図である。
【図１２】別の形態の扉片下がり防止構造の変形例を示す側面図である。
【図１３】キャビネットの斜視図である。
【図１４】扉が片下がりしている様子を示す側面図である。
【図１５】位置ずれした錠止装置を示す側面図である。
【符号の説明】
【００２０】
１  箱体
２  前扉
３  ハンドル
４  フック止め具
５  フック
６  回動軸
９  ハンドル本体
１１  段差部
１２  受け面
１３  位置調整用部材
１４  ねじ
１５  板主部
１６  角柱部
１７  回動位置保持部材
１８  挿通孔
２１  傾斜面
２２  摺動部材
２３  角孔
２５  コイルバネ  
３１  ストッパ片
３２  ストッパ
５１  ハンドル本体
５２  取手
５３、５４  支軸
５５  フック
５６  回動アーム
５７  リンク機構
６１  摺動部材
６２  傾斜面
６３  受け面
６４  位置調整用部材
【図１】
2006032391.tif 000003
【図２】
2006032391.tif 000004
【図３】
2006032391.tif 000005
【図４】
2006032391.tif 000006
【図５】
2006032391.tif 000007
【図６】
2006032391.tif 000008
【図７】
2006032391.tif 000009
【図８】
2006032391.tif 000010
【図９】
2006032391.tif 000011
【図１０】
2006032391.tif 000012
【図１１】
2006032391.tif 000013
【図１２】
2006032391.tif 000014
【図１３】
2006032391.tif 000015
【図１４】
2006032391.tif 000016
【図１５】
2006032391.tif 000017